(57)【要約】【課題】  リング部が長さ方向で一定の応力を維持し、抜栓の際に、指の掛かりがよいプルリングを提供すること。【解決手段】  抜栓式キャップの注出口を開口する隔壁の除去部上面に配設されたプルリングにおいて、プルリングは、除去部に連設される支柱部と、支柱部に連設される円環状のリング部とを具え、リング部の支柱部の反対側は、リング部の他の部分の上下方向の長さより短く形成された指掛け部となっていることを特徴とする構成を採用する。【選択図】  図１
2010006446.tif 000002
【特許請求の範囲】
【請求項１】
抜栓式キャップの注出口を開口する隔壁の除去部上面に配設されたプルリングにおいて、
プルリングは、除去部に連設される支柱部と、支柱部に連設される円環状のリング部とを具え、
リング部の支柱部の反対側は、リング部の他の部分の上下方向の長さより短く形成された指掛け部となっていることを特徴とするプルリング。
【請求項２】
リング部の指掛け部の肉厚が、リング部の他の部分の肉厚に比べ、厚く形成されていることを特徴とする請求項１記載のプルリング。
【発明の詳細な説明】
【技術分野】
【０００１】
本発明は、抜栓式キャップのプルリング、特に、指掛かりをよくしたプルリングに関するものである。
【背景技術】
【０００２】
内容液を収納する容器の口筒部に装着するキャップにおいて、キャップの除去部に設けた支柱部とリング部とからなるプルリングを引き上げ、開口を開設するようにした抜栓式キャップは従来より周知である（例えば、特許文献１、２参照）。
【特許文献１】特開平８−１０４３５０号公報
【特許文献２】特開２０００−２７２６４８号公報
【発明の開示】
【発明が解決しようとする課題】
【０００３】
しかしながら、従来周知の抜栓式キャップでは、抜栓の際に、リング部が切れてしまうことを防止するために、一定の断面積を確保するとともに、成形時にプルリングの金型からの離型性をよくするため、リング部の厚みを薄くしていた。
そのため、リング部の上下方向の長さが長くなり、リング部の内周に指を掛ける際に、指の掛かりが悪いという問題があった。
【０００４】
本発明は、上記の問題を解決することを課題とし、リング部が長さ方向で一定の応力を維持し、抜栓の際に、指の掛かりがよいプルリングを提供することを目的とする。
【課題を解決するための手段】
【０００５】
本発明は、上記の課題を解決するため、プルリングとして、抜栓式キャップの注出口を開口する隔壁の除去部上面に配設されたプルリングにおいて、プルリングは、除去部に連設される支柱部と、支柱部に連設される円環状のリング部とを具え、リング部の支柱部の反対側は、リング部の他の部分の上下方向の長さより短く形成された指掛け部となっていることを特徴とする構成を採用する。
【０００６】
リング部の実施例として、リング部の指掛け部の肉厚が、リング部の他の部分の肉厚に比べ、厚く形成されていることを特徴とする構成を採用する。
【発明の効果】
【０００７】
抜栓式キャップの注出口を開口する隔壁の除去部上面に配設されたプルリングにおいて、リング部の支柱部の反対側が、リング部の他の部分の上下方向の長さより短く形成された指掛け部となっていることによって、リング部に指を掛ける際に、指掛け部に指を掛けることで、指の掛かりをよくすることができるようになった。
また、指掛け部の肉厚を厚くすることによって、リング部の切断を防ぐことができるようになった。
【発明を実施するための最良の形態】
【０００８】
次に、本発明のプルリングの実施形態について、図面を参照して説明する。
図１において、Ａは容器の口筒部に嵌着されるとともに、上部に蓋体を装着して閉蓋されるキャップ本体である。
【０００９】
キャップ本体Ａは、注出筒１と、注出筒１内周に配設される隔壁２とを具えている。
【００１０】
隔壁２には、注出口を開口する薄肉の弱化部３により除去部４が設けられており、除去部４の上面の所定の位置には、開口時に除去部４を引上げるプルリング５が設けられている。
【００１１】
プルリング５は、図１、２に示すように、隔壁２の除去部に連設される支柱部６と、支柱部６の上部に連設される円環状のリング部７とからなっている。
【００１２】
リング部７の支柱部６の反対側は、指掛け凹部８が下部に凹設され、リング部７の他の部分の上下方向の長さより短く形成された指掛け部７ａとなっている。
【００１３】
次に、本発明のプルリングの作用効果について説明する。
本発明のプルリング５は、キャップ本体Ａの隔壁２から除去部４を抜栓して開口するため、リング部７の内周に指を掛ける際に、図２に示すように、リング部７の指掛け部７ａが他のリング部７の上下方向の長さより短く形成されているとともに、リング部７に指掛け凹部８が形成されているので、リング部７の内周および下部に指が掛かり易い。
【００１４】
リング部７の指掛け部７ａが、他のリング部７の上下方向の長さより短く形成されているので、指掛け部７ａの強度が弱くなり、指掛け部７ａを引張った際に切断してしまうことも考えられるが、リング部７の指掛け部７ａの肉厚を、他のリング部７の肉厚に比べ、若干厚くして形成することで充分な強度を設定することができ、指掛け部７ａを引張った際に、指掛け部７ａが切断することを防止することができる。
【００１５】
また、リング部７の指掛け部７ａが他に比べ肉厚が厚くても、キャップ本体Ａの成形時の型抜きにあたって、リング部７の支柱部６側を支点に他のリング部７が変形するので、型抜きには、ほとんど影響がない。
【００１６】
上記実施形態では、プルリング５の円環状のリング部７は、支柱部６の上部に連設されているが、リング部の支柱部の反対側に指掛け部を形成することができればよいので、リング部の形状を、図３に示すように、隔壁２から延びる支柱部１０と、支柱部１０の上部両側から前方外側および上方に向かってＶ字状に延び、かつ円環状に形成されるリング部１１とし、リング部１１の支柱部１０の反対側に凹設した指掛け凹部１２により、他のリング部１１の上下方向の長さより短く形成された指掛け部１１ａが形成されるようにしても、上記実施形態と同様の効果が得られる。
【００１７】
上記実施形態では、キャップ本体Ａとしたが、本発明は、除去部を除去して開口する隔壁の除去部に連設するプルリングに関しての発明であり、キャップ本体および上蓋の他の構成はどのようなものでもよく、また、キャップ本体ではなく、キャップ内に装着される中栓の隔壁のプルリングの構成としてもよい。
つまり、除去部を除去して開口する隔壁であれば、本願のプルリングの構成を採用することができ、他の構成は上記実施形態の構成に限定されない。
【産業上の利用可能性】
【００１８】
本発明は、除去部を除去して開口する隔壁の除去部に連設するプルリングにおいて、リング部の指掛け部が、他の部分の上下方向の長さより短く形成させることによって、リング部に指が掛かり易くすることができるので、各種容器のプルリングとして、広く利用することができる。
【図面の簡単な説明】
【００１９】
【図１】本発明の説明図で、（ａ）はキャップ本体の断面立面図、（ｂ）はプルリングおよび隔壁の斜視図である。
【図２】抜栓時のプルリングの要部拡大図である。
【図３】別実施例のプルリングおよび隔壁の斜視図である。
【符号の説明】
【００２０】
Ａ          キャップ本体
１          注出筒
２          隔壁
３          弱化部
４          除去部
５          プルリング
６、１０    支柱部
７、１１    リング部
７ａ、１１ａ    指掛け部
８、１２        指掛け凹部
【図１】
2010006446.tif 000003
【図２】
2010006446.tif 000004
【図３】
2010006446.tif 000005